(57)【要約】【解決手段】本発明は、大量生産される放射物の比吸光率を照合する装置に関する。本発明は、テスト領域に位置する対象物によって放射される電力を測定する少なくとも一つのセンサーと、このように測定された電力を解析する少なくとも一つのプロセス部とを備えている。当該センサーは、前記テスト領域と反対側に配置された開口部を含む導波管を有し、少なくとも一つの測定プローブが前記導波管内部に配置されている。
2007502973.tif 000002
【特許請求の範囲】
【請求項１】
大量生産される放射物の比吸光率を照合する装置において、
テスト領域に位置する対象物によって放射される電力を測定する少なくとも一つのセンサーと、
このように測定された電力を解析する少なくとも一つのプロセス部とを備え、
センサーは、前記テスト領域と反対側に配置される開口部を含む導波管を有し、
少なくとも一つの測定プローブが前記導波管内部に配置されていることを特徴とする装置。
【請求項２】
対象物をテスト領域まで搬送する手段を有することを特徴とする請求項１記載の装置。
【請求項３】
センサーは、材料として、生物組織と同様の誘電特性を有するファントムを更に有し、
ファントム内に、導波管が配置されていることを特徴とする請求項１又は２のいずれかに記載の装置。
【請求項４】
ファントムは、円筒形状又はより複雑な形状であることを特徴とする請求項１乃至３のいずれか１項に記載の装置。
【請求項５】
導波管は、長方形、円形又はより複雑な横断面を有することを特徴とする請求項１乃至４のいずれか１項に記載の装置。
【請求項６】
導波管は角錐であることを特徴とする請求項１乃至５のいずれか１項に記載の装置。
【請求項７】
導波管内に設けられた少なくとも二つの直交するプローブを有することを特徴とする請求項１乃至６のいずれか１項に記載の装置。
【請求項８】
導波管は、デビオメトリック法を実施するため、二対の直交するプローブを有することを特徴とする請求項７記載の装置。
【請求項９】
二対のプローブはデビオメトリック装置に連結していることを特徴とする請求項８記載の装置。
【請求項１０】
プロセス部は、大きさや範囲が測定された放射電力に応じて変化するとともに、位置がデビオメトリック法測定に応じて変化する湾曲形状をスクリーンに表示することを特徴とする請求項９記載の装置。
【請求項１１】
様々な方向に配置された複数のセンサー配列を有することを特徴とする請求項１乃至１０のいずれか１項に記載の装置。
【請求項１２】
放射物が移動体通信ターミナルの場合には、テスト領域の上流にシミュレータ基地を備えたことを特徴とする請求項１乃至１１のいずれか１項に記載の装置。
【請求項１３】
センサー上流に放射物を所定位置に配置することができる案内手段を有することを特徴とする請求項１乃至１２のいずれか１項に記載の装置。
【請求項１４】
プロセス部は、集積された比吸光率の値と、電力の値との間の対応表を有し、この対応表は前もって測定によって決定されていることを特徴とする請求項１乃至１３のいずれか１項に記載の装置。
【請求項１５】
センサー又は多数の導波管センサー、及び測定プローブを含む遮蔽され、かつ無響となる容器を有することを特徴とする請求項１乃至１４のいずれか１項に記載の装置。
【発明の詳細な説明】
【技術分野】
【０００１】
本発明は、大量生産される放射物、特に携帯電話の比吸光率、すなわちＳＡＲの照合（モニタリング）に関する。
【背景技術】
【０００２】
既知の生物組織の重量あたりに受けることができる最大のＳＡＲが一般的に定義された標準によって、携帯電話の使用者が受ける電磁波の量が定められていることは知られている。
【０００３】
これに関して、標準は、特にヨーロッパ、アメリカ及び中国にある。しかしながら、これらの標準によって定義される測定方法は、道具がかなり複雑で面倒である。
【０００４】
一般的に、これらの標準によって、人体に相当する生物媒体にとても似た状態を再形成するファントムにおける測定電場量の基準に基づいて、集積された最大ＳＡＲ、すなわち＜ＳＡＲ＞を計算することができる。
【０００５】
ヨーロッパを例に取ると、このように調査される量は、約２３ｃｍ３であり、サンプリング間隔は数ミリメータであるため、実行される測定回数は、数百回のオーダーになる。
【０００６】
さらに、これらの測定は、少なくとも３つ（又はデュアルバンドの携帯電話に対しては６つ）の周波数だけでなく、ファントムの両側面に対し、携帯電話の少なくとも二つの位置で繰り返して行われなければならない。
【０００７】
それゆえ、これらの標準書類によって提示されるプロトコルは、特に長く、このような方法では市場に出回る全ての携帯電話をテストすることはできない。
【発明の開示】
【発明が解決しようとする課題】
【０００８】
このため、製造工程の最後に、これらの携帯電話を迅速に照合（モニタリング）するできるテストが必要である。
【課題を解決するための手段】
【０００９】
この目的のために、本発明は、大量生産される放射物の比吸光率を照合する装置において、テスト領域に位置する目的物によって放射される電力を測定する少なくとも一つのセンサーと、このように測定された電力を解析する少なくとも一つのプロセス部とを備え、センサーは、前記テスト領域と反対側に配置される開口部を含む導波管を有し、少なくとも一つの測定プローブが前記導波管内部に配置されていることを特徴とする装置を提供する。
【００１０】
このような装置は、一つ又は技術的に可能な全ての組合せによって用いられる以下に示す様々な特徴によって有益にも補助されている。装置は、目的物をテスト領域まで搬送する手段を有しており、センサーは、材料として、生物組織と同様の誘電特性を有するファントムを更に有し、ファントム内に、導波管が配置されており、ファントムは、円筒形状又はより複雑な形状であり、導波管は、長方形又は円形の横断面を有し、導波管は、選択的に角錐からなるように変形でき、導波管は角錐であり、センサーは、導波管内に設けられた少なくとも二つの直交するプルーブを有し、導波管は二対の直交するプルーブを有し、二対のプルーブはプロセス手段、特に使用されるデビオメトリック装置に連結され、プロセス部は、大きさや範囲がセンサーによって測定された放射電力に応じて変化するとともに、位置がデビオメトリック法測定（deviometric measurements）に応じて変化する湾曲形状をスクリーンに表示し、装置は、様々な方向に配置された複数のセンサーの配列を有し、放射物が移動体通信ターミナルの場合には、テスト領域の上流にシミュレータ基地を有し、装置は、センサー上流に放射物を所定位置に配置することができる案内手段を有しプロセス部は、集積された比吸光率の値と、電力の値との間の対応表を有し、この対応表は前もって測定によって決定されている。
【００１１】
製造工場から対象物をサンプリングし、センサー又は多数の導波管センサー、及び測定プローブを含む遮蔽され、かつ無響となる容器内で解析することによって、製造過程又は製造の最後でテストを実施することも好ましい、
【００１２】
本発明のその他の特徴及び有利な点は、純粋に管理のみのためのものであって限定させず、添付図面を参照として示される記載からより明らかになる。
【発明を実施するための最良の形態】
【００１３】
図１には、例えば、携帯電話１を製造するためのラインの端部に配置され、製造された電話の集積ＳＡＲを検査することができる装置を有している領域が示されている。
【００１４】
携帯電話１は、携帯電話１を運んで前記テスト領域を通過させるベルトコンベア２によってテスト領域まで運ばれる。
【００１５】
このテスト領域は、特に一以上のセンサー３を有し、センサー３はベルトコンベア２の上方及び／又は下方であって、ベルトコンベア２の反対側又は近傍に配置されており、集積ＳＡＲを測定することができる。センサー３はプロセス部４に連結されている。プロセス部４は、ベルトコンベア２の駆動方向で、シミュレータ基地局５の下流側に配置されている。
【００１６】
シミュレータ５の役割は、テスト領域まで来て、センサー３を通過するとき、最大パワーＰmaxを発揮するよう、テスト領域に到着する携帯電話１を活性化することにある。
【００１７】
案内傾斜路６は、テスト領域上流のベルトコンベア２上にちょうど配置されており、携帯電話を、所定の方向、例えばテスト領域にあるとき、ベルトコンベア２によって移動する軸に、携帯電話の縦軸が概ね一致する方向に配向させることができる。
【００１８】
図２及び図３に、典型的なセンサー３が、より正確に記載されている。
【００１９】
このセンサー３は、導波管を構成する金属構造７を有しており、少なくとも二つの直交する検知プローブ８，９までの伝播を照合するよう、電磁波をガイドすることができ、検知プローブ８，９によって、二つの分極方向における電場を測定することができる。
【００２０】
このように測定される電場はプロセス部４に送信され、二つの分極方向に沿って測定された電場に対応する電力を決定することができる。前もって分極状態が解析された電場の所定成分だけを測定するので、容易に測定することができる。この場合、センサーの適した方向の電場成分だけ測定することで十分である。
【００２１】
この場合、図２に示すように、導波管７は円筒形状をしている。
【００２２】
図３に示すように、最大の入口領域に沿って集積される電波を確認できるよう、導波管７が角錐になっていることも好ましい。
【００２３】
円筒状又は角錐状のような導波管７は、生物組織の誘電体に相当する性質のファントム１０が満たされた材料内に配置されている。
【００２４】
材料は当量液体からなることが好ましい。
【００２５】
ファントムは、例えば、標準書類で顧客向けに提案されている形状（単純形状（特に球体）の一般的なファントムや擬人化したファントム）に相当する形状になっている。
【００２６】
例えば、図２及び図３に示すように、円筒形状になっている。
【００２７】
この場合、容積、具体化の複雑さ及びコストを抑えることができる。
【００２８】
この点、容積を減らすことによって、プローブを並列に配置することができる。
【００２９】
図４には特別な場合が示されており、携帯電話１が通過する領域の周りにアーチ状に配置された多数のセンサー３が示されている。
【００３０】
アーチ状にプローブを配列することによって、ベルトの主軸に対して携帯電話が整列せずにある程度ばらついても測定することができ、かつテスト配置を変えることができる。
【００３１】
図２及び図３に示されたタイプのセンサーの導波管７は、通常テストにおいて、典型的には数ｍｍから数ｃｍの単位で、携帯電話のアンテナにかなり近い距離で配置されている。
【００３２】
さらに、図５a及び図５ｂに示されているように、センサー３は二つではなく四つの直交するプローブを有していることが好ましい。四つのプローブ又はアンテナを用いることによって、実際、ファントムにおける消費や電力の領域や「スポット」の位置や大きさに関する情報を得ることができるデビオメトリック法測定を行うことができる。
【００３３】
この目的のため、図６に示すように、一方で第一軸（Ｘ軸）、他方で第二軸（Ｙ軸）に沿ってプローブによって測定できる電場の大きさの合計や相違を計算することができる３ｄＢ−１８０°連結器（参照番号１１）（デビオメトリック装置（deviometric means））を用いることが好ましい。これらの合計や相違に関する信号は、それ自体がプロセス部４に送信され、プロセス部４において、合計や相違に関する信号が解析されて、発生しうる故障だけでなく携帯電話１の位置及び/又は方向に関するＳＡＲや補助部の情報を得ることができる。
【００３４】
特に、このデビオメトリック法測定によって、テストされている電話の位置を照合（モニタリング）することができ、このデビオメトリック法測定は、電話に関して得られる測定と、マッチアップされる参照測定との間のあらゆる違いに対して得られる判断に役立つ。消費電力量をより良く評価することもできる。
【００３５】
プロセス部４は、強度と範囲が測定された電力に応じて変化し、デビオメトリー湾曲形状の強度から位置を導くことができるスポットをスクリーンに表示することができることが、さらに好ましい。
【００３６】
上述された装置によって測定される集積された電場測定に関する情報は、解析される携帯電話の集積＜ＳＡＲｓ＞を予め収納されたマッチアップ表を用いることによって、導き出されることが好ましい。
【００３７】
この目的のために、センサーによって測定される電場と、標準的な測定作業台で測定される携帯電話の集積されたＳＡＲｓとをマッチアップすることができる測定手段が前もって行われる。
【００３８】
この＜ＳＡＲ＞は、実際に、ファントムで消費される電力にとても密接に関連しており、電力は使用されるファントム（形状、大きさ、誘電体の性質など）、携帯電話（アンテナのタイプ、ハウジングの連結など）、ファントムに対する携帯電話の相対的位置に、本質的に依存している。
【００３９】
導波管センサーを用いることによって、開口部を通過する電力変化を集積することができるため、ファントムで消費される全体的な電力を測定することができ、このようにして、ファントムにおいて消費される全体の電力を測定することができる。この電力は、ファントムに対する電話の相対的な位置において、所望のタイプの電話及び所望のタイプのファントムに関し、マッチアップ表を介して＜ＳＡＲ＞の値に直接リンクしている。
【００４０】
装置は、センサー又は多数の導波管センサー、及び測定プローブを含む遮蔽され、かつ無響となる容器内に配置することもできる。このような容器によって、製造プラントから対象物をサンプリングすることによってテストすることができる。
【００４１】
装置は、例えば更に完全にテストするために、単独で、又はコンベアー工場に沿って配置されたセンサーの補助として用いられる。
【００４２】
このテスト装置には様々な利点がある。
【００４３】
このことによって、迅速に（一秒間に数個の電話を）テストすることができる。
【００４４】
このテスト装置は、製造される放射物（電話など）を分類できる＜ＳＡＲ＞の整合性及び／又は評価のリアルタイムで示し、リサイクルできるよう、判断を示すことができる
【００４５】
このテスト装置は易い。
【００４６】
このテスト装置は対象物を傷つけない。
【００４７】
製造ラインに組み込むことが容易である。
【００４８】
このテスト装置は、少ない数の、典型的には二個から四個、のプローブが必要である。
【図面の簡単な説明】
【００４９】
【図１】本発明によって実現できる実施の形態による装置を設けたテスト領域。
【図２】実現できる典型的なセンサーの概略図。
【図３】別の実現できる典型的なセンサーの概略図。
【図４】アーチ状に配置された複数のセンサーを用いた図。
【図５ａ】円形の横断面の導波管センサーを用いた場合において、四つのプローブを有するセンサーを示す概略横断面図。
【図５ｂ】四角形の横断面の導波管センサーを用いた場合において、四つのプローブを有するセンサーを示す概略横断面図。
【図６】四つのプローブセンサーを有する主要なデビオメトリック装置の概略図。
【図１】
2007502973.tif 000003
【図２】
2007502973.tif 000004
【図３】
2007502973.tif 000005
【図４】
2007502973.tif 000006
【図５ａ】
2007502973.tif 000007
【図５ｂ】
2007502973.tif 000008
【図６】
2007502973.tif 000009
【国際調査報告】
2007502973.tif 000010
2007502973.tif 000011
2007502973.tif 000012
2007502973.tif 000013